(57)【要約】【課題】着脱可能な記憶装置、あるいは記憶装置を有する着脱可能な孔版印刷用ドラムユニットを着脱しても、同様の印刷を再度繰り返し実行可能であるハイブリッド孔版印刷装置を提供する。【解決手段】製版された孔版原紙を外周面に着版した孔版印刷用ドラム８１１ａに印刷用紙を押圧し、孔版原紙の穿孔から孔版印刷用インクを転写して孔版印刷を行う孔版印刷部８１と、インクジェットヘッド部が微滴化したインクジェット用インクを印刷用紙に噴出及び付着させてインクジェット印刷を行うインクジェット印刷部８０とを有し、孔版印刷部８１は、孔版印刷用ドラム８１１ａと共に着脱および交換可能な孔版印刷用ドラムユニット８１１を備えるハイブリッド孔版印刷装置に関し、データ記憶部８１１ｂを有する孔版印刷用ドラムユニット８１１を備える。【選択図】図１
2009208242.tif 000002
【特許請求の範囲】
【請求項１】
製版された孔版原紙を外周面に着版した孔版印刷用ドラムに印刷用紙を押圧し、前記孔版原紙の穿孔から孔版印刷用インクを転写して孔版印刷を行う孔版印刷部と、
インクジェットヘッド部が微滴化したインクジェット用インクを前記印刷用紙に噴出及び付着させてインクジェット印刷を行うインクジェット印刷部とを有し、前記孔版印刷部は、前記孔版印刷用ドラムと共に着脱及び交換可能な孔版印刷用ドラムユニットを備えるハイブリッド孔版印刷装置であって、
前記孔版印刷用ドラムユニットは、データ記憶部を備えることを特徴とするハイブリッド孔版印刷装置。
【請求項２】
前記データ記憶部は、前記孔版印刷用ドラムユニットに着脱可能であることを特徴とする請求項１に記載のハイブリッド孔版印刷装置。
【請求項３】
前記データ記憶部は、不揮発性メモリであることを特徴とする請求項１又は２に記載のハイブリッド孔版印刷装置。
【請求項４】
前記データ記憶部は、該データ記憶部が格納する１つあるいは複数の印刷データをそれぞれ識別する管理情報を格納することを特徴とする請求項１乃至３のいずれか１項に記載のハイブリッド孔版印刷装置。
【請求項５】
印刷データは、少なくとも印刷部数及び印刷用紙サイズ等を含む印刷ジョブデータ、孔版印刷部が孔版印刷を行う孔版印刷用画像データ、インクジェット印刷部がインクジェット印刷を行うインクジェット印刷用画像データ、孔版印刷及びインクジェット印刷の終了を示す印刷ジョブエンドデータによって構成されることを特徴とする請求項１乃至４のいずれか１項に記載のハイブリッド孔版印刷装置。
【請求項６】
第１孔版印刷用画像データおよび第１インクジェット印刷用画像データを格納するデータ記憶部を備える孔版印刷用ドラムユニットは、前記第１インクジェット印刷用画像データを第２孔版印刷用画像データに変換し、且つ、該第２孔版印刷用画像データを前記第１孔版印刷用画像データに合成する印刷用画像データ合成部を更に備えることを特徴とする請求項１乃至５のいずれか１項に記載のハイブリッド孔版印刷装置。
【請求項７】
孔版印刷部が、製版された孔版原紙を外周面に着版した孔版印刷用ドラムに印刷用紙を押圧し、前記孔版原紙の穿孔から孔版印刷用インクを転写して孔版印刷を行い、且つ、インクジェット印刷部が、インクジェットヘッド部より微滴化したインクジェット用インクを印刷用紙に噴出及び付着させてインクジェット印刷を行うハイブリッド孔版印刷装置に配置された前記孔版印刷用ドラムと共に着脱及び交換可能な孔版印刷用ドラムユニットであって、
データ記憶部を備えることを特徴とする孔版印刷用ドラムユニット。
【請求項８】
前記データ記憶部は、着脱可能であることを特徴とする請求項７に記載の孔版印刷用ドラムユニット。
【請求項９】
前記データ記憶部は、不揮発性メモリであることを特徴とする請求項７又は８に記載の孔版印刷用ドラムユニット。
【請求項１０】
前記データ記憶部は、該データ記憶部が格納する１つあるいは複数の印刷データをそれぞれ識別する管理情報を格納することを特徴とする請求項７乃至９のいずれか１項に記載の孔版印刷用ドラムユニット。
【請求項１１】
印刷データは、少なくとも印刷部数及び印刷用紙サイズ等を含む印刷ジョブデータ、孔版印刷部が孔版印刷を行う孔版印刷用画像データ、インクジェット印刷部がインクジェット印刷を行うインクジェット印刷用画像データ、孔版印刷及びインクジェット印刷の終了を示す印刷ジョブエンドデータによって構成されることを特徴とする請求項７乃至１０のいずれか１項に記載の孔版印刷用ドラムユニット。
【請求項１２】
第１孔版印刷用画像データおよび第１インクジェット印刷用画像データを格納するデータ記憶部を備える孔版印刷用ドラムユニットであって、
前記第１インクジェット印刷用画像データを第２孔版印刷用画像データに変換し、且つ、該第２孔版印刷用画像データを前記第１孔版印刷用画像データに合成する印刷用画像データ合成部を更に備えることを特徴とする請求項７乃至１１のいずれか１項に記載の孔版印刷用ドラムユニット。
【発明の詳細な説明】
【技術分野】
【０００１】
本発明はハイブリッド孔版印刷装置及び孔版印刷用ドラムユニットに関し、特にハイブリッド孔版印刷装置が備える着脱可能な記憶部を利用した再印刷技術に関する。
【背景技術】
【０００２】
従来、２つの孔版印刷用ドラム（版銅）を有する２色孔版印刷装置において、２つの各孔版印刷用ドラムは他の孔版印刷用ドラムと自由に交換でき、孔版印刷用ドラムに着版された製版済み孔版原紙を使用し、印刷時、新たに製版することなしに再印刷が可能であった。また、一方のドラムに地紋の製版済み孔版原紙を再利用して着版し、他方の孔版印刷用ドラムでは新たに孔版原紙を製版することで、１回の製版で２種類の２色印刷が実現可能となる。
【０００３】
ここで、孔版印刷方式では、印刷データに応じて製版された孔版原紙を孔版印刷用ドラムに巻きつけ、この孔版印刷用ドラムを回転させながら孔版印刷用ドラム内部から供給されるインクを孔版原紙の穿孔を介して印刷媒体に転写させることで印刷を行う。また、孔版印刷装置は、孔版印刷用ドラムが１回転する毎に印刷媒体１枚の印刷が終了するので、特に多数部の印刷を行う場合に極めて安価に短時間で印刷を行える。よって、同一印刷内容で単一色の印刷を高速で行う高速印刷性能には優れているが、印刷内容の可変対応性能には劣る。また、孔版印刷は、インクのコストが低く、高速で印刷できるため（１２０枚／分）、新聞の折込広告等、速報性を有する一過性の印刷物を多数枚印刷するために広く利用される。一方、インクジェット印刷では、印刷データに応じた文字や画像等を印刷媒体に印刷する。インクジェット印刷では、印刷媒体に対してインクジェット記録ヘッドを走査させながら、この印字ヘッドのノズルから吐出されたインクを印刷媒体に付着させることで印刷を行う。よって、高精細のフルカラー画像を得られる反面、印刷媒体１枚の印刷に比較的長時間を要し、インクのコストも孔版印刷と比較して高い。
【０００４】
そこで近年では、印刷方式が異なる複数の印刷装置を組み合わせ、それぞれの方式の長所を活かすことで、様々な用途に対応して効率のよい印刷を行えるようにした印刷装置として、いわゆるハイブリッド型の印刷装置が検討されている。例えば、高速印刷性能に優れている孔版印刷と印刷内容の可変対応性に優れているインクジェット印刷とのそれぞれの利点を活用するハイブリッド孔版印刷装置が提案されている（例えば、特許文献１参照。）。これにより、ハイブリッド孔版印刷装置は、前述の２つのドラムを有する孔版印刷装置と比べると、孔版印刷方式の既存の効果に加え、インクジェット印刷方式によって実現される有益な効果も更に得ることが可能となる。
【特許文献１】特開２００３−１５４７１１号公報
【発明の開示】
【発明が解決しようとする課題】
【０００５】
ハイブリッド孔版印刷装置では、孔版印刷部と、孔版印刷部とは対向に配置されたインクジェット印刷部を内部に備える。ハイブリッド孔版印刷方式では、孔版印刷に適した印刷領域を孔版印刷部が、インクジェット印刷に適した印刷領域をインクジェット印刷部がそれぞれ印刷することで、目的の印刷を完成させる。
【０００６】
したがって、全体の印刷データは、孔版印刷部が印刷する孔版印刷用の印刷データである孔版印刷用画像データとインクジェット印刷部が印刷するインクジェット印刷用の印刷データであるインクジェット印刷用画像データとによって構成される。
【０００７】
しかしながら、孔版印刷部とインクジェット印刷部とを内部に配置したハイブリッド孔版印刷装置では、新たな印刷を実行するために孔版印刷部の孔版印刷用ドラムを交換すると、新たな印刷に対応するインクジェット印刷用の印刷データは存在しないため、新たにコンピュータ等の印刷情報出力装置から対応するデータをわざわざ転送等して準備しなければならないという問題がある。
【０００８】
上記問題点を鑑み、本発明は、孔版印刷用画像データおよびインクジェット印刷用画像データによって構成される印刷データを格納した着脱可能な記憶装置、あるいは記憶装置を有する着脱可能な孔版印刷用ドラムユニットを備えることで、記憶装置あるいは記憶装置を有する孔版印刷用ドラムユニットを着脱しても、同様の印刷を再度繰り返し実行可能となるハイブリッド孔版印刷装置及び孔版印刷用ドラムユニットを提供することを目的とする。
【課題を解決するための手段】
【０００９】
本発明の様態は、製版された孔版原紙を外周面に着版した孔版印刷用ドラムに印刷用紙を押圧し、孔版原紙の穿孔から孔版印刷用インクを転写して孔版印刷を行う孔版印刷部と、インクジェットヘッド部が微滴化したインクジェット用インクを印刷用紙に噴出及び付着させてインクジェット印刷を行うインクジェット印刷部とを有し、孔版印刷部は、孔版印刷用ドラムと共に着脱および交換可能な孔版印刷用ドラムユニットを備えるハイブリッド孔版印刷装置に関する。すなわち、本発明の様態に係るハイブリッド孔版印刷装置は、データ記憶部を有する孔版印刷用ドラムユニットを備えることを特徴とする。
【００１０】
本発明の別の様態は、孔版印刷部が、製版された孔版原紙を外周面に着版した孔版印刷用ドラムに印刷用紙を押圧し、孔版原紙の穿孔から孔版印刷用インクを転写して孔版印刷を行い、且つ、インクジェット印刷部が、インクジェットヘッド部より微滴化したインクジェット用インクを印刷用紙に噴出及び付着させてインクジェット印刷を行うハイブリッド孔版印刷装置に配置された孔版印刷用ドラムと共に着脱および交換可能な孔版印刷用ドラムユニットに関する。すなわち、本発明の別の様態に係る孔版印刷用ドラムユニットは、データ記憶部を備えることを特徴とする。
【発明の効果】
【００１１】
本発明によれば、孔版印刷用画像データおよびインクジェット印刷用画像データによって構成される印刷データを格納した着脱可能な記憶装置、あるいは記憶装置を有する着脱可能な孔版印刷用ドラムユニットを備えることで、記憶装置あるいは記憶装置を有する孔版印刷用ドラムユニットを着脱しても、同様の印刷を再度繰り返し実行可能となるハイブリッド孔版印刷装置及び孔版印刷用ドラムユニットを提供することができる。
【発明を実施するための最良の形態】
【００１２】
次に、図面を参照して、本発明の実施の形態を説明する。以下の図面の記載において、同一または類似の部分には同一または類似の符号を付している。但し、図面は模式的なものであり、装置やシステムの構成等は現実のものとは異なることに留意すべきである。したがって、具体的な構成は以下の説明を参酌して判断すべきものである。また、図面相互間においても互いの構成の異なる部分が含まれていることは勿論である。
【００１３】
また、以下に示す本発明の実施の形態は、本発明の技術的思想を具体化するための装置や方法を例示するものであって、本発明の技術的思想は、構成部品の材質、形状、構造、配置等を下記のものに特定するものではない。本発明の技術的思想は、特許請求の範囲に記載された技術的範囲内において、種々の変更を加えることができる。
【００１４】
（第１の実施の形態）
＜ハイブリッド孔版印刷装置の構成＞
本発明の第１の実施の形態に係るハイブリッド孔版印刷装置は、図１に示すように、印刷情報出力装置２から出力された印刷対象の画像のデータ（以下において、「印刷用画像データ」と言う。）等を取得する印刷情報取得部３と、印刷用画像データを２値データ（製版データ）等に変換する印刷情報処理部４と、操作キーや表示パネルを有する入力部５と、印刷画像に基づき製版および印刷の実行を制御する制御部６と、印刷対象の原稿を読み取る印刷情報読取部７と、製版された孔版原紙を用いて孔版印刷およびフルラインタイプ等の記録ヘッドによってインクジェット印刷を行う印刷部８とを備える。
【００１５】
印刷情報出力装置２は、図３に示す孔版印刷を行うための固定画像である孔版印刷用画像データおよびインクジェット印刷を行うための可変画像であるインクジェット印刷用画像データを出力する。印刷情報出力装置２は、例えば、画像データ等の編集が可能であり、印刷用画像データをプリンタ記述言語（例えば、ＰＤＬ形式）等で出力するコンピュータ等を利用することができる。さらに、コンピュータ等から出力された印刷用画像データに対して、所定の処理を施したり、印刷用画像データの出力を制御するコントローラを備えるようにしてもよい。
【００１６】
ここで、印刷用画像データとは、印刷情報出力装置２が出力する孔版印刷用画像データおよびインクジェット印刷用画像データによって構成される印刷物の印刷画像である。孔版印刷用画像データは孔版印刷部８１が孔版印刷を実行するための印刷画像のデータであり、インクジェット印刷用画像データはインクジェット印刷部８０がインクジェット印刷を実行するための印刷画像のデータである。
【００１７】
また、固定画像とは、複数の非印刷物（印刷用紙）のそれぞれに同一の画像を印刷する目的で作成された画像で、主に孔版印刷に用いられる。可変画像とは、複数の非印刷物のそれぞれに異なる画像を印刷する目的で作成された画像で、主にインクジェット印刷に用いられる。
【００１８】
図１に示す印刷情報読取部７は、入力部５から送信される印刷条件および読取条件である印刷ジョブデータ、および印刷対象の原稿を読み取り、読み取った結果得られる印刷用画像データを併せて印刷情報として出力する。印刷情報読取部７には、スキャナ等が使用可能である。ここで、印刷条件とは、印刷対象の原稿を印刷する際の印刷枚数および部数、印刷画質および印刷解像度等を指し、読取条件とは、印刷対象の原稿を読み取る際の読取画質、読取解像度およびカラーモード等指す。
【００１９】
印刷情報取得部３は、印刷情報出力装置２および印刷情報読取部７が出力する印刷情報を取得し、印刷情報に含まれる印刷用画像データが有するジョブＩＤを判別する。
【００２０】
ここで、印刷情報とは、図２に示すように、管理情報と複数の印刷データによって構成される。管理情報は、複数の印刷データを識別するための印刷データＩＤおよび予め設定された期間における複数の印刷履歴を有する。ここで、印刷履歴とは、ハイブリッド孔版印刷装置１が印刷を行った、印刷ドキュメント名および印刷日時等を含む過去の印刷の情報である。印刷履歴は印刷データは図３に示すように、印刷ジョブデータ、孔版印刷用画像データ、インクジェット印刷用画像データおよび印刷ジョブエンドデータによって構成される。また、印刷データは図３（ａ）に示すように、孔版印刷用画像データおよびインクジェット印刷用画像データで構成される場合、図３（ｂ）に示すように、孔版印刷用画像データのみで構成される場合および図３（ｃ）、（ｄ）に示すように、インクジェット印刷用画像データのみで構成される場合が存在する。印刷データは、孔版印刷用画像データおよびインクジェット印刷用画像の少なくともいずれか１つを含む。
【００２１】
印刷ジョブデータは、ユーザ入力情報、すなわち、ユーザが入力する印刷部数、インク色、解像度等の情報を含む。さらに、印刷ジョブデータは、「印刷指示のみ」、「保存指示のみ」、「印刷と保存指示」の３つの指示情報を含む。これらの指示情報をジョブＩＤと呼ぶ。これらのジョブＩＤに従って、ジョブＩＤが「印刷指示のみ」である場合は、図１に示す印刷部８が印刷を行い、データ記憶部８１１ｂはジョブＩＤに対応する印刷データを格納しない。ジョブＩＤが「保存指示のみ」の場合は、印刷部８は印刷を実行せず、データ記憶部８１１ｂはジョブＩＤに対応する印刷データを、例えば、ＰＤＬ形式等で格納する。ジョブＩＤが「印刷および保存指示」である場合は、印刷部８が印刷を実行し、同時にデータ記憶部８１１ｂがジョブＩＤに対応する印刷データを、例えば、ＰＤＬ形式等で格納する。
【００２２】
印刷ジョブエンドデータは、印刷データの終了を示す。
【００２３】
印刷情報処理部４は、印刷用画像データが孔版印刷用画像データおよびインクジェット印刷用画像データとして形成されていない際に、それら２種類の印刷用画像データに分割および変換処理を施す。例えば、イ）印刷用画像データで使用されるインクの対応可能領域、ロ）印刷用画像データのベクトル画像部分およびビットマップ画像部分、ハ）ユーザによる選択的な割り当て、によって分割および変換処理を施す方法がある。また、印刷用画像データを製版可能な２値のデータ（製版データ）に変換処理する。
【００２４】
入力部５は、制御部６に対する印刷条件等および印刷情報読取部７に対する読取条件等の入力をユーザへ促す。入力部５は、ハイブリッド孔版印刷装置１の本体に設けられ、図４（ａ）および（ｂ）に示すような操作パネルが使用可能である。操作パネルは、読み取った原稿の印刷枚数等を指定するテンキー４１、１回の製版で印刷可能な枚数（孔版原紙耐刷枚数）を表示する第１表示部４２ａ、印刷枚数あるいは印刷残数等を表示する第２表示部４２ｂ、印刷の処理状況および複数の印刷履歴を表示する第３表示部４２ｃ、図１に示すデータ記憶部８１１ｂに格納されたデータに基づいた再製版の実施を促す再製版キー４３、製版あるいは印刷のいずれを実施するか選択する選択キー４４、製版および印刷の動作を停止させるストップキー４５、製版および印刷の動作を開始させるスタートキー４６を備える。
【００２５】
制御部６は、印刷情報出力装置２の出力情報および入力部５のキー操作に基づき、印刷部８を制御して、製版および印刷を実行する。制御部６は図１に示すように、印刷部８等の制御や印刷ジョブデータ等、データの演算および加工を行なう中央演算処理装置（ＣＰＵ）６１０、印刷用画像データを１画面分記憶するフレームメモリ６２０およびフレームメモリ６２０に記憶した印刷用画像データをビデオデータに変換するビデオデータ生成部６３０を備える。
【００２６】
印刷部８は、印刷情報出力装置２および印刷情報読取部７から受信したデータに基づいて、孔版印刷およびインクジェット印刷を行う。印刷部８は、インクジェット印刷を実施するインクジェット印刷部８０および孔版印刷を実施する孔版印刷部８１を備える。
【００２７】
インクジェット印刷部８０は、インクジェットヘッド部が微滴化したインクジェット用インクを印刷用紙に噴出及び付着させることで、印刷用紙に印刷用画像データに応じたカラーの文字や画像等を印刷する。
【００２８】
孔版印刷部８１は、孔版原紙に印刷用画像データを感熱穿孔する製版部８１０および孔版印刷用ドラムユニット８１１を備える。製版部８１０は、制御部６から孔版印刷用に処理された印刷用画像データが送信されると、製版処理として孔版原紙に印刷用画像データに応じた穿孔画像を形成し、穿孔画像が形成された孔版原紙を孔版印刷用ドラム８１１ａに巻装する処理である着版を行う。
【００２９】
孔版印刷用ドラムユニット８１１は、ハイブリッド孔版印刷装置１に対して着脱および交換可能であり、孔版印刷用ドラム８１１ａおよびデータ記憶部８１１ｂまた、孔版印刷用ドラムユニット８１１は図６に示すように、ハイブリッド孔版印刷装置１に設けられた孔版印刷用ドラム孔１６１からドラムガイドレール部材１６２を利用して、ハイブリッド孔版印刷装置１の内部に挿入可能かつ外部へ引き出し可能である。さらに、孔版印刷用ドラムユニット８１１は、矩形状の孔版印刷用ドラム枠体１６３および孔版印刷用ドラム枠体１６３に対して回転自由に支持された孔版印刷用ドラム８１１ａを備えている。
【００３０】
孔版印刷用ドラム８１１ａは、製版された孔版原紙を外周面に着版し、孔版印刷用ドラム８１１ａに印刷用紙を押圧することで、孔版印刷用ドラム８１１ａの内部から供給される孔版印刷用インクを、孔版原紙の穿孔を介して印刷用紙に転写する。
【００３１】
また、孔版印刷用ドラム８１１ａは、円筒状に形成されており、ドラムモータの動力により一方向および自身の中心軸線回りに回転可能な状態で支持されている。さらに、孔版印刷用ドラム８１１ａは、多孔構造に構成され、外周部に孔版原紙の一端を係止するクランプ機構を有している。
【００３２】
データ記憶部８１１ｂは、孔版印刷用ドラムユニット８１１に対して着脱可能で装着され、図１および図６に示すように、孔版印刷用ドラムユニット８１１に設けられ、図２および３で示すような印刷部数および印刷用紙サイズ等を含む印刷ジョブデータ、孔版印刷部８１が孔版印刷を行う孔版印刷用画像データ、インクジェット印刷部８０がインクジェット印刷を行うインクジェット印刷用画像データ、孔版印刷およびインクジェット印刷の終了を示す印刷ジョブエンドデータで構成された複数の印刷データおよび複数の印刷データを識別する管理情報を格納する。なお、管理情報は予め設定された期間における複数の印刷履歴の情報も有する。データ記憶部８１１ｂは、ＵＳＢフラッシュメモリ、ＳＤカード、ｘＤピクチャカード等の不揮発性半導体メモリであるフラッシュメモリ、ＭＯ等の光磁気ディスクおよびＨＤＤ等の磁気ディスク等が採用可能である。また、データ記憶部８１１ｂは磁気ディスク等の記憶装置を内蔵することが可能であり、各種記憶装置のインタフェースを設けることで、各種記憶装置を外部から接続することも可能である。
【００３３】
なお、データ記憶部８１１ｂに格納可能な図２に示す印刷データの量は、データ記憶部８１１ｂの容量に比例して増加する。また、印刷データの格納可能容量をデータ記憶部８１１ｂの全容量に設定することも可能であり、全容量内の任意の容量に設定することも可能である。
【００３４】
次に、図５は本発明の第１の実施の形態におけるハイブリッド孔版印刷装置１の概略構成図の一例である。図５において、ハイブリッド孔版印刷装置１は、、印刷媒体である印刷用紙５１を給紙する給紙部５２と、この給紙された印刷用紙５１に孔版印刷を施す孔版印刷部８１と、孔版印刷された印刷用紙５１を搬送し、インクジェット印刷部８０に給紙する用紙搬送部５３と、用紙搬送部５３により搬送された印刷用紙５１にインクジェット印刷を施すインクジェット印刷部８０と、インクジェット印刷部８０から排出された印刷用紙５１を排紙台５４に排紙する排紙部５５と、孔版印刷用ドラム８１１ａに装着された孔版原紙を廃棄する図示しない排版部とを有している。なお、孔版印刷部８１は所望の印刷画像に基づいて孔版原紙に穿孔する図示しない製版部８１０とハイブリッド孔版印刷装置１に対して着脱自在に設けられた孔版印刷用ドラムユニット８１１を備える。
【００３５】
給紙部５２は、印刷用紙５１が積載される給紙台５６と、この給紙台５６に積載された最上位置の印刷用紙５１のみ順次搬送する１次給紙ロール５７と、この１次給紙ロール５７によって搬送された印刷用紙５１を孔版印刷部８１に所定タイミングで給紙する２次給紙ロール５８とを有している。
【００３６】
孔版印刷部８１は、孔版印刷用ドラムユニット８１１が有する多孔構造によるインク通過性部材で外周壁が設けられた孔版印刷用ドラム８１１ａと、この孔版印刷用ドラム８１１ａの外周壁に設けられ、製版された孔版原紙の先端をクランプする図示しないクランプ部と、孔版印刷用ドラム８１１ａの外周壁に内周面側からインクを供給する図示しないインク供給部と、回転する孔版印刷用ドラム８１１ａの外周壁に押圧する押圧位置と孔版印刷用ドラム８１１ａの外周壁から離間する離間位置との間で変移自在な押圧ロール６６とを有する。孔版印刷用ドラム８１１ａはハイブリッド孔版印刷装置１に回転自在で設けられ、先端をクランプ部にてクランプされた孔版原紙が巻き付け装着される。そして、印刷用紙５１が給紙されると、孔版原紙が装着された孔版印刷用ドラム８１１ａに押圧ロール６６が押圧し、孔版印刷用ドラム８１１ａと押圧ロール６６との間を印刷用紙５１が押圧搬送される過程で孔版原紙の穿孔箇所を通過するインクが印刷用紙５１に転写されることによって所定の印刷画像が形成される。
【００３７】
一方、ハイブリッド孔版印刷装置１に装着できる孔版印刷用ドラム８１１ａとして内部の図示しないインク供給部からインクの代わりにプレコート液材を供給するものが用意されている。つまり、ハイブリッド孔版印刷装置１に装着する孔版印刷用ドラム８１１ａとしてインク供給用のものとプレコート液材供給用のものとをが用意されており、これらを自由に交換できる。プレコート液材は、油分：水分の割合が３：７〜４：６の範囲で構成されたエマルション液材であって、乳白色であるが印刷用紙に塗布されると無色透明となるものが使用されている。
【００３８】
用紙搬送部５９は、孔版印刷用ドラム８１１ａから印刷用紙５１を引き剥がす分離爪６０と、孔版印刷用ドラム８１１ａから離間した印刷用紙５１を搬送する一対の搬送ロール６１と，この一対の搬送ロール６１から排出される印刷用紙５１を吸引ファン６２でベルト面に吸引しつつ搬送するベルト搬送部６３の上流部分と、このベルト搬送部６３のベルト面に印刷用紙５１を密着させる複数のガイドロール６４とから構成されている。ベルト搬送部６３は、後述するようにインクジェット印刷部８０の搬送手段を兼用している。そして、用紙搬送部５９は、孔版印刷部８１の印刷位置とインクジェット印刷部８０の印刷位置との間の実質的搬送距離Ｌが少なくとも使用可能な印刷用紙５１の最大用紙サイズ長（印刷用紙５１の最大用紙サイズ長以上）を有するように設けられている。一対の搬送ロール６１及びベルト搬送部６３のベルト面によって形成される用紙搬送部５９の搬送経路は、水平方向にストレートな経路に形成されてあり、この第２実施形態では直線距離が少なくとも使用可能な印刷用紙５１の最大用紙サイズ長（印刷用紙５１の最大用紙サイズ長以上）を有するように設定されている。
【００３９】
インクジェット印刷部８０は、用紙搬送部５９のベルト搬送部６３の下流部分と、この下流部分の上方位置に配置されたインクジェット記録ヘッド６５とを有している。
【００４０】
本発明の実施形態においてプレコート供給用の孔版印刷用ドラム８１１ａを装着したインクジェット記録ヘッド６５のインクジェット印刷にあって、印刷用紙５１上に着弾したインクの広がりをプレコート層によって阻止できるため、印刷用紙５１の紙質にかかわらずインクジェット印刷部８０でインク滲みのない印刷画像を印刷できる。また、孔版印刷部８１の印刷位置とインクジェット印刷部８０の印刷位置との間の実質的搬送距離Ｌが少なくとも使用可能な印刷用紙５１の最大用紙サイズ長（印刷用紙５１の最大用紙サイズ長以上）を有するので、孔版印刷部８１とインクジェット印刷部８０のように印刷スピードが異なる場合にあっても画像が伸びたり、縮んだりする悪影響等が発生しない。
【００４１】
＜ハイブリッド孔版印刷装置による再印刷＞
次に、本発明の第１の実施の形態に係るハイブリッド孔版印刷装置１が、印刷情報出力装置２および印刷情報読取部７より取得した印刷データの印刷を行った後、データ記憶部８１１ｂに、図３（ａ）に示すような孔版札用画像データおよびインクジェット印刷用画像データを含む印刷データが格納されている場合、再び印刷情報出力装置２および印刷情報読取部７より印刷データを取得することなしに、既に印刷が実行された印刷データを、再度印刷する際の処理方法について図７のフローチャートを参照しながら説明する。
【００４２】
（イ）ステップＳ１０１において、データ記憶部８１１ｂが格納する印刷情報において、印刷情報に含まれる管理情報が管理する複数の印刷履歴の中から、ユーザが所望の印刷履歴を選択することで、再印刷の指示が発生する。ユーザに対して、複数の印刷履歴の表示や任意の印刷履歴の選択は、図１に示す印刷情報出力装置２によって行うことが可能であり、図４に示すハイブリッド孔版印刷装置１が備える入力部５の第３表示部４２ｃ等で行うことも可能である。
【００４３】
（ロ）ステップＳ１０２において、制御部６は、選択された印刷履歴に対応する製版された孔版原紙が、孔版印刷用ドラム８１１ａに着版されているかどうかを確認する。孔版印刷用ドラム８１１ａに孔版原紙が着版済みの場合、ステップＳ１０３において、印刷部８は、選択された印刷履歴に対応するインクジェット印刷用画像データを読み出し、ステップＳ１０４〜Ｓ１０７において、ハイブリッド孔版印刷装置１は、ハイブリッド印刷を実行する。ステップＳ１０４は所定の範囲を繰り返す処理の始まりを、ステップＳ１０９は繰り返し処理の終了を示し、その名称は「ハイブリッド印刷」として規定されている。ここで、「ｘ：１，１，ｉ」は「ｘ：初期値，終値，増分値」として規定される繰り返し処理の回数であり、ｘの値は１で始まり、１刻みでｉになるまで繰り返すことを示している。すなわち、ステップＳ１０４からＳ１０７までの間で、最初に、ｘに１を記憶して処理を実行する。二度目以降はｘに１を加算してｉ以下であれば繰り返して処理を実行する。この処理を終値を超えるまで繰り返す。ｉは１以上の自然数を示し、具体的には、予めユーザによって設定された数値あるいはインクジェット印刷用画像データが含む画像の種類の数、ページ数ｎあるいは印刷部数等に依存する。よって、ステップＳ１０４〜Ｓ１０７において、印刷部８は、印刷用紙１枚ごとにｉ枚まで、孔版印刷およびインクジェット印刷の順にハイブリッド印刷を実行する。
【００４４】
（ハ）ステップＳ１０２において、ユーザが選択した印刷履歴に対応する孔版原紙が孔版印刷用ドラム８１１ａに着版されていない場合、ステップ１０８において、印刷部８は、印刷履歴に対応する孔版印刷用画像データをデータ記憶部８１１ｂから読み出す。つづいて、ステップＳ１０９において、製版部８１０は、ユーザが入力部５の再製版キー４３を押下することで、再製版を実行する。再製版後は、ステップＳ２０３に移行する。
【００４５】
以上説明したように、本発明の第１の実施の形態によれば、既に印刷済みの画像を、新たにＰＣ等から読み込むことを必要とせずに、再度、同様の画像を印刷することが可能である。また、同様に排版済みの孔版原紙に対しても、新たにＰＣ等を使用せずに製版することが可能である。
【００４６】
（第１の変形例）
次に、本発明の第１の実施の形態の第１の変形例として、図２に示す印刷データｄ１の印刷を既に実行した第１のハイブリッド孔版印刷装置１ａから、図９に示すように、孔版印刷用ドラムユニット８１１を第２のハイブリッド孔版印刷装置１ｂに着脱換装させ、第２のハイブリッド孔版印刷装置１ｂが、再び印刷情報出力装置２および印刷情報読取部７より印刷データを取得することなしに、印刷データｄ１の再印刷を実行する際の処理方法について、図８の模式図を参照しながら説明する。なお、図８に示すデータ記憶部８１１ｂが格納する印刷データｄ１は、第１の実施の形態と同様、図３（ａ）に示すような孔版札用画像データおよびインクジェット印刷用画像データを含むものとする。
【００４７】
本発明の第１の実施の形態では同一のハイブリッド孔版印刷装置において印刷履歴の再印刷を実行するが、第１の変形例では異なる複数のハイブリッド孔版印刷装置において孔版印刷用ドラムユニットの着脱換装により印刷履歴の再印刷を実行する点で、第１の実施例とは異なる。
【００４８】
図８は、孔版印刷用ドラム８１１ａおよびデータ記憶部８１１ｂを備える孔版印刷用ドラムユニット８１１を、第１のハイブリッド孔版印刷装置１ａから第２のハイブリッド孔版印刷装置１ｂに着脱換装した際の模式図である。破線で示す孔版印刷用ドラム８１１ａ、データ記憶部８１１ｂおよび孔版印刷用ドラムユニット８１１は、最初に印刷を実行した際に、第１のハイブリッド孔版印刷装置１ａに装着された状態を示し、実線で示す孔版印刷用ドラム８１１ａ、データ記憶部８１１ｂおよび孔版印刷用ドラムユニット８１１は、再印刷を実行する第２のハイブリッド孔版印刷装置１ｂに装着した状態を示す。
【００４９】
孔版印刷用ドラム８１１ａ、データ記憶部８１１ｂおよび孔版印刷用ドラムユニット８１１を第１のハイブリッド孔版印刷装置１ａから第２のハイブリッド孔版印刷装置１ｂへ着脱換装しても、印刷対象の印刷データｄ１が含む印刷用画像データ等はデータ記憶部８１１ｂに格納されているため、第２のハイブリッド孔版印刷装置１ｂにおいて、印刷情報出力装置２等から新たに印刷データｄ１を取得することを必要とせずに、再印刷が可能となる。
【００５０】
次に、孔版印刷用ドラムユニット８１１等を第２のハイブリッド孔版印刷装置１ｂに装着後、再印刷を実行する際の処理の流れは、図７に示すフローチャートと同様のため省略する。
【００５１】
以上説明したように、本発明の第１の実施の形態における第１の変形例によれば、孔版印刷用ドラムユニット８１１等を異なる複数のハイブリッド孔版印刷装置に着脱換装することで、換装したハイブリッド孔版印刷装置において、新たな印刷データの取得を必要とせずに、再印刷が実行可能となる。
【００５２】
（第２の変形例）
次に、本発明の第１の実施の形態の第２の変形例として、図２に示す印刷データｄ１の印刷を既に実行した第１のハイブリッド孔版印刷装置１ａから、図１０に示すように、データ記憶部８１１ｂを第２のハイブリッド孔版印刷装置１ｂが備える孔版印刷用ドラムユニット９１１に着脱換装させ、第２のハイブリッド孔版印刷装置１ｂが、再び印刷情報出力装置２および印刷情報読取部７より印刷データを取得することなしに、印刷データｄ１の再印刷を実行する際の処理方法について、図９の模式図および図１０のフローチャートを参照しながら説明する。なお、図９に示すデータ記憶部８１１ｂが格納する印刷データｄ１は、第１の変形例と同様、図３（ａ）に示すような孔版札用画像データおよびインクジェット印刷用画像データを含むものとし、図９に示す孔版印刷用ドラム９１１ａには印刷データｄ１に対応する製版された孔版原紙は着版されていないものとする。
【００５３】
第１の変形例では異なる複数のハイブリッド孔版印刷装置間において孔版印刷用ドラムユニット８１１の着脱換装により印刷履歴の再印刷を実行するが、第２の変形例では異なる複数のハイブリッド孔版印刷装置間においてデータ記憶部８１１ｂの着脱換装により印刷履歴の再印刷を実行する点で、第１の変形例とは異なる。
【００５４】
図９は、データ記憶部８１１ｂを、第１のハイブリッド孔版印刷装置１ａが備える孔版印刷用ドラムユニット８１１から、第２のハイブリッド孔版印刷装置１ｂが備える孔版印刷用ドラムユニット９１１に着脱換装した際の模式図である。破線で示すデータ記憶部８１１ｂは、最初に印刷を実行した際に、第１のハイブリッド孔版印刷装置１ａに装着された状態を示し、実線で示すデータ記憶部８１１ｂは、再印刷を実行する第２のハイブリッド孔版印刷装置１ｂに装着した状態を示す。
【００５５】
データ記憶部８１１ｂを第１のハイブリッド孔版印刷装置１ａが備える孔版印刷用ドラムユニット８１１から第２のハイブリッド孔版印刷装置１ｂが備える孔版印刷用ドラムユニット９１１へ着脱換装しても、印刷対象の印刷データｄ１が含む印刷用画像データ等はデータ記憶部８１１ｂに格納されているため、第２のハイブリッド孔版印刷装置１ｂにおいて、印刷情報出力装置２等から新たに印刷データｄ１を取得することを必要とせずに、再印刷が可能となる。
【００５６】
次に、孔版印刷用ドラムユニット８１１等を第２のハイブリッド孔版印刷装置１ｂが備える孔版印刷用ドラムユニット９１１に装着後、再印刷を実行する際の処理の流れを、図１０を参照しながら説明する。
【００５７】
（イ）ステップＳ２０１において、データ記憶部８１１ｂが格納する印刷情報において、印刷情報に含まれる管理情報が管理する複数の印刷履歴の中から、ユーザが所望の印刷履歴を選択することで、再印刷の指示が発生する。ユーザに対して、複数の印刷履歴の表示や任意の印刷履歴の選択は、図１に示す印刷情報出力装置２によって行うことが可能であり、図４に示すハイブリッド孔版印刷装置１が備える入力部５の第３表示部４２ｃ等で行うことも可能である。
【００５８】
（ロ）ステップＳ２０２において、印刷部８は、選択された印刷履歴に対応する孔版印刷用画像データを読み出す。ステップＳ２０３において、製版部８１０は、ユーザが入力部５の再製版キー４３を押下することで、再製版を実行する。ステップＳ２０４において、印刷部８は、選択された印刷履歴に対応するインクジェット印刷用画像データを読み出し、ステップＳ１０５〜Ｓ１０８において、第２のハイブリッド孔版印刷装置１ｂは、ハイブリッド印刷を実行する。
【００５９】
以上説明したように、本発明の第１の実施の形態における第２の変形例によれば、データ記憶部８１１ｂを異なる複数のハイブリッド孔版印刷装置に着脱換装することで、換装したハイブリッド孔版印刷装置において、新たな印刷データの取得を必要とせずに、再印刷が実行可能となる。
【００６０】
（第２の実施の形態）
本発明の第２の実施の形態に係るハイブリッド孔版印刷装置は、第１の実施の形態に係るハイブリッド孔版印刷装置図に対して、図１１に示すような、複数種類の印刷用画像データを特定の種類の印刷用画像データに変換および合成する、印刷用画像データ合成部８１１ｃを更に備える。
【００６１】
印刷用画像データ合成部８１１ｃは、孔版印刷のみの印刷を可能にするため、データ記憶部８１１ｂが格納する孔版印刷用画像データ及びインクジェット印刷用画像データを孔版印刷用画像データあるいはインクジェット印刷用画像データに変換および合成する。印刷用画像データ合成部８１１ｃは、画像最適化エンジン等のプログラムを含む中央演算処理装置（ＣＰＵ）が採用可能である。
【００６２】
（再印刷時の印刷装置が孔版印刷のみ可能である場合）
孔版印刷用ドラムユニット８１１が孔版印刷のみ可能な印刷装置に装着された際にデータ記憶部８１１ｂに格納された印刷データの印刷を実行する場合、必ずしも印刷データを構成する印刷用画像データは、図３（ｂ）で示すような孔版印刷用画像データのみであるとは限らない。図３（ａ）、（ｃ）および（ｄ）で示すように、インクジェット印刷用画像データのような孔版印刷用画像データ以外の印刷用画像データが含まれる場合がある。印刷用画像データが、図３（ｃ）および（ｄ）ような構成の場合、印刷用画像データ合成部８１１ｃは、インクジェット印刷用画像データを孔版印刷用画像データに変換し、印刷部８による孔版印刷の実行を可能にする。また、印刷用画像データが、図３（ａ）のような構成の場合、印刷用画像データ合成部８１１ｃは、インクジェット印刷用画像データページｐ１〜ｐｎを孔版印刷用画像データに変換し、さらに変換後のデータを既に存在する孔版印刷用画像データと合成することで、印刷部８による孔版印刷の実行を可能にする。このようにして、印刷用画像データに孔版印刷用画像データ以外の形式のデータが含まれている場合も、孔版印刷のみ可能な印刷装置において印刷データの孔版印刷は可能となる。
【００６３】
（再印刷時の印刷装置がインクジェット印刷のみ可能である場合）
次に、データ記憶部８１１ｂを装着可能な孔版印刷以外の印刷方法を備える印刷装置、例えば、インクジェット印刷装置において、データ記憶部８１１ｂに格納されたインクジェット印刷用画像データ以外のデータ、例えば、図３（ｂ）に示す孔版印刷用画像データに対してインクジェット印刷を実行する場合、印刷用画像データ合成部８１１ｃは、孔版印刷用画像データをインクジェット印刷用画像データに変換する。また、図３（ａ）に示すように、孔版印刷用画像データおよびインクジェット印刷用画像データが混在する場合、印刷用画像データ合成部８１１ｃは、孔版印刷用画像データをインクジェット印刷用画像データに変換し、さらに既に存在するインクジェット印刷用画像データページｐ１〜ｐｎに合成することで、印刷部８による印刷データのインクジェット印刷を実行可能にする。
【００６４】
以上説明したように、本発明の第２の実施の形態によれば、再印刷時に印刷を実行する印刷装置の種類が、印刷用画像データの種類と異なっている場合、印刷装置が印刷可能なデータ形式に変換および合成することで、再印刷の実行が可能となる。
【００６５】
（その他の実施の形態）
上記のように、本発明は本発明の実施の形態によって記載したが、この開示の一部をなす論述及び図面は本発明を限定するものであると理解すべきではない。この開示から当業者には様々な代替実施の形態、実施例及び運用技術が明らかとなろう。
【００６６】
例えば、本発明の第１及び第２の実施の形態に係るハイブリッド孔版印刷装置は、図１に示すように、インクジェット印刷部８０が孔版印刷部８１の印刷用紙搬送下流側に配置した。しかし、インクジェット印刷部８０は孔版印刷部８１の印刷用紙搬送上流側に配置しても良い。
【００６７】
また、本発明の第２実施の形態においては、印刷用画像データ合成部を孔版印刷用ドラムユニットの内部に配置した。しかし、１つのＣＰＵで演算処理を一元的に管理するために、制御部の中に配置しても良い。
【００６８】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【図面の簡単な説明】
【００６９】
【図１】本発明の第１の実施の形態に係るハイブリッド孔版印刷装置のブロック図である。
【図２】本発明の第１および第２の実施の形態に係るデータ記憶部が格納する印刷情報の構成図である。
【図３】本発明の第１および第２の実施の形態に係る印刷情報が含む複数の種類の印刷データの構成図である。
【図４】本発明の第１および第２の実施の形態に係る入力部の構成図およびブロック図である。
【図５】本発明の第１および第２の実施の形態に係るハイブリッド孔版印刷装置の概略構成図である。
【図６】本発明の第１および第２の実施の形態に係る孔版印刷用ドラムユニットをハイブリッド孔版印刷装置から引き出した状態の斜視図である。
【図７】本発明の第１の実施の形態に係るハイブリッド孔版印刷装置を用いた再印刷のフローチャート図である。
【図８】本発明の第１の実施の形態の第１の変形例に係るハイブリッド孔版印刷装置を用いた再印刷時の模式図である。
【図９】本発明の第１の実施の形態の第２の変形例に係るハイブリッド孔版印刷装置を用いた再印刷時の模式図である。
【図１０】本発明の第１の実施の形態の第２の変形例に係るハイブリッド孔版印刷装置を用いた再印刷のフローチャート図である。
【図１１】本発明の第１１の実施の形態に係るハイブリッド孔版印刷装置のブロック図である。
【符号の説明】
【００７０】
１…ハイブリッド孔版印刷装置
１ａ…第１のハイブリッド孔版印刷装置
１ｂ…第２のハイブリッド孔版印刷装置
２…印刷情報出力装置
３…印刷情報取得部
４…印刷情報処理部
５…入力部
６…制御部
７…印刷情報読取部
８…印刷部
４１…テンキー
４２ａ…第１表示部
４２ｂ…第２表示部
４２ｃ…第３表示部
４３…再製版キー
４４…選択キー
４５…ストップキー
４６…スタートキー
８０…インクジェット印刷部
８１…孔版印刷部
６２０…フレームメモリ
６３０…ビデオデータ生成部
８１０…製版部
８１１…孔版印刷用ドラムユニット
８１１ａ…孔版印刷用ドラム
８１１ｂ…データ記憶部
８１１ｃ…印刷用画像データ合成部
９１１…孔版印刷用ドラムユニット
９１１ａ…孔版印刷用ドラム
【図１】
2009208242.tif 000003
【図２】
2009208242.tif 000004
【図３】
2009208242.tif 000005
【図４】
2009208242.tif 000006
【図５】
2009208242.tif 000007
【図６】
2009208242.tif 000008
【図７】
2009208242.tif 000009
【図８】
2009208242.tif 000010
【図９】
2009208242.tif 000011
【図１０】
2009208242.tif 000012
【図１１】
2009208242.tif 000013